(57)【要約】      （修正有）【課題】複数のリチウムイオン電池セルを保護ＩＣで監視するとともに、電池セルの温度も監視できる電池パックを提供する。【解決手段】リチウムイオン電池パック６は基板１７と、基板の左右に接続される複数の電池セルＢ１〜Ｂ４と、前記電池セルの間に配置される温度検知素子１２、１３とを有する。温度検知素子は、電池セルの端子間の基板に接続される。基板の中央部には、電池保護ＩＣ１０が配置される。電池セルの端子と基板とは電気溶接で接続される。【選択図】図３
2015099705.tif 000002
【特許請求の範囲】
【請求項１】
基板と、前記基板の左右に接続される複数の電池セルと、前記電池セルの間に配置される温度検知素子と、を有することを特徴とするリチウムイオン電池パック。
【請求項２】
前記基板の中央部には、電池保護ＩＣが配置されることを特徴とする請求項１に記載のリチウムイオン電池パック。
【請求項３】
前記電池セルの端子と基板とが電気溶接で接続されたことを特徴とする請求項１また２に記載のリチウムイオン電池パック。
【請求項４】
前記温度検知素子は、前記電池セルの端子間の基板に接続されたことを特徴津する請求項３に記載の電池パック。
【発明の詳細な説明】
【技術分野】
【０００１】
本発明は、リチウムイオン電池の電池パック、特に温度保護に関する。
【背景技術】
【０００２】
リチウムイオン電池は、電源となる電池の高容量化、軽量化の要望があり、特にハンディ型の電気掃除機、コードレスの電動工具などに徐々に採用されてきている。
【先行技術文献】
【特許文献】
【０００３】
【特許文献１】特開２００７−１１６８５３号
【発明の概要】
【発明が解決しようとする課題】
【０００４】
リチウムイオン電池は、過放電・過充電などを監視するため電池セルの電圧などを監視する保護ＩＣを用いて各電池セルの過放電・過充電を監視している。
特許文献１には保護ＩＣで監視できるセル以上の電池セルがあった場合に、保護ＩＣで監視できない電池セル近傍に温度検出素子を配置することで、新たな保護ＩＣを配置すること無く電池セルの過放電・過充電を監視するものが開示されている。
【０００５】
しかしながら、特許文献１の構成では保護ＩＣで監視されている電池セルは温度による監視がされておらず、一方温度検出素子で監視されている電池セルは、電圧などでは監視されていない。
【０００６】
本発明では、複数のリチウムイオン電池セルを保護ＩＣで監視するとともに、電池セルの温度も監視できる電池パックを提供するものである。
【課題を解決するための手段】
【０００７】
上記課題を解決するため、請求項１に記載の発明にあたっては、基板と、基板の左右に接続される複数の電池セルと、電池セルの間に配置される温度検知素子とを有することを特徴とする。
【発明の効果】
【０００８】
本発明の電池パックは、一つの温度検知素子で複数の電池セルの温度を監視できるため、電池パックに電池セルとともに内蔵される基板サイズが大きくなることが無い。
【図面の簡単な説明】
【０００９】
【図１】本発明の電池パックが搭載された電気掃除機とＡＣアダプタのシステム図
【図２】本発明の電池パックの回路図
【図３】本発明の電池パックの部品配置図
【発明を実施するための形態】
【００１０】
以下に本発明の好適な実施の形態について、図面を参照しながら説明する。なお本実施形態は一例であり、これに限定されるものではない。
【００１１】
図1は、電池パックを搭載した電気掃除機とＡＣアダプタのシステム図である。電気掃除機１は、充電時には電気掃除機１と商用電源３とをＡＣアダプタ２介して端子４、５で接続される。
【００１２】
ＡＣアダプタ２は、商用電源３の交流電流を直流電流に変換するものである。
【００１３】
電気掃除機１は、電池パック６、制御部７、電動機８、スイッチ９などから構成されている。
充電時、端子４から入力される電圧に基づいて制御部７はＡＣアダプタ２と電気掃除機１との接続を認識する。
【００１４】
さらに、電池パック６内の第１の温度検知素子１２、第２の温度検知素子１３によって検出される温度が基準値以下のときは、充電を開始するためにスイッチ９を閉じる制御を行う。充電が開始されると、電池パック内のリチウムイオン電池Ｂ１、Ｂ２、Ｂ３、Ｂ４への充電が始まる。
【００１５】
このとき電池パック６内の保護ＩＣ１０によって過電流・過電圧等が監視されながら充電が行われる。充電完了後はリチウムイオン電池Ｂ１、Ｂ２、Ｂ３、Ｂ４の電力によって電動機８を駆動する。
【００１６】
図２は、電池パック６の回路ブロック図である。
保護ＩＣ１０は、充電時のリチウムイオン電池セルＢ１、Ｂ２、Ｂ３、Ｂ４の過電流・過電圧を監視するためのＩＣである。直列接続されたリチウムイオン電池Ｂ１、Ｂ２、Ｂ３、Ｂ４のそれぞれの電圧が入力され、過電流・過電圧を監視し、異常があれば保護スイッチ１１をオフにして充電を中止する。
【００１７】
第１の温度検知素子１２、第２の温度検知素子１３は、複数の電池セルの温度を検知できるように電池パック６内に配置される。第１の温度検知素子１２、第２の温度検知素子１３は例えばサーミスタなどを用いることができる。第１の温度検知素子１２、第２の温度検知素子１３からの出力信号は制御部７へ出力される。また、電池セル数を認識するため抵抗１４が第１の温度検知素子１２、第２の温度検知素子１３と制御部７との間に接続される。
【００１８】
電池パック６内には、第１の温度検知素子１２、第２の温度検知素子１３とは別の温度センサを設けることも可能である。この場合、温度センサ１５から出力された信号は保護回路１６を介して保護ＩＣ１０に入力される。温度センサ１５による信号が異常を示したときは、保護ＩＣによって保護スイッチ１１をオフにして充電を中止する。
【００１９】
図３は、電池パック６の部品配置図である。
リチウムイオン電池Ｂ１、Ｂ２、Ｂ３、Ｂ４は、基板１７を中央に配置した状態で基板１７の左右に配置される。本実施例のリチウムイオン電池はアルミラミネート包装された電池セルなので、電池パックを薄く製造することが可能となる。
【００２０】
リチウムイオン電池Ｂ１、Ｂ２、Ｂ３、Ｂ４は基板１７に電気溶接され、簡単に外れないように接続されている。リチウムイオン電池セルＢ１、Ｂ２の間に第１の温度検知素子１２を、リチウムイオン電池セルＢ３、Ｂ４の間に第２の温度検知素子１３が配置される。第１の温度検知素子１２、第２の温度検知素子１３それぞれから伸びた配線はリチウムイオン電池Ｂ３、Ｂ４の端子間の基板１７上に接続される。配線は基板１７上の基板配線を介してリチウムイオン電池Ｂ１、Ｂ２の端子間の基板上に接続され、制御部７に接続される。基板１７の中心部には温度センサ１５、保護回路１６、保護ＩＣ１０、保護スイッチ１１が配置されている。
【００２１】
なお本発明は、上述した実施形態に限定されるものではなく、本発明の要旨を変えない範囲において、種々の変更、改変等が可能である。
【符号の説明】
【００２２】
１  電気掃除機、２  ＡＣアダプタ、３  商用電源、４  端子、５  端子、６  電池パック、７  制御部、８  電動機、９  スイッチ、１０  保護ＩＣ、１１  保護スイッチ、１２  第1の温度検知素子、１３  第２の温度検知素子、１４  抵抗、１５  温度センサ、１６  保護回路、１７  基板、
Ｂ１、Ｂ２、Ｂ３、Ｂ４    リチウムイオン電池セル
【図１】
2015099705.tif 000003
【図２】
2015099705.tif 000004
【図３】
2015099705.tif 000005